【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
参照信号通信方法であって、
位相追跡参照信号（ＰＴＲＳ）の周波数ドメイン位置のリソースブロックオフセットを、前記ＰＴＲＳの周波数ドメイン密度、端末装置の識別子、及び第１帯域幅に基づき決定するステップであって、前記第１帯域幅の前記ＰＴＲＳの周波数ドメイン密度に対する比は非整数であり、前記第１帯域幅は前記端末装置のためにネットワーク装置によりスケジューリングされた帯域幅である、ステップと、
前記ＰＴＲＳの前記周波数ドメイン位置の前記リソースブロックオフセットに基づき、前記ＰＴＲＳを送信又は送信するステップと、
を含む通信方法。
【請求項２】
前記ＰＴＲＳの前記周波数ドメイン位置の前記リソースブロックオフセット、前記ＰＴＲＳの前記周波数ドメイン密度、前記第１帯域幅、及び前記端末装置の前記識別子は、以下の関係を満たし：
Δｆ＝ＩＤＵＥｍｏｄ（ＢＷ１ｍｏｄＦＤｓｔｅｐ）、ここで、
ＦＤｓｔｅｐは前記ＰＴＲＳの前記周波数ドメイン密度であり、ＢＷ１は前記第１帯域幅であり、ＩＤＵＥは前記端末装置の前記識別子であり、Δｆは前記ＰＴＲＳの前記周波数ドメイン位置の前記リソースブロックオフセットである、請求項１に記載の通信方法。
【請求項３】
前記第１帯域幅の前記ＰＴＲＳの前記周波数ドメイン密度に対する比が整数であるとき、前記ＰＴＲＳの前記周波数ドメイン密度及び前記端末装置の前記識別子に基づき、前記ＰＴＲＳの前記周波数ドメイン位置の前記リソースブロックオフセットを決定するステップであって、前記ＰＴＲＳの前記周波数ドメイン位置の前記リソースブロックオフセット、前記ＰＴＲＳの前記周波数ドメイン密度、及び前記端末装置の前記識別子は、以下の関係を満たし：
Δｆ＝ＩＤＵＥｍｏｄＦＤｓｔｅｐ、ここで、
ＦＤｓｔｅｐは前記ＰＴＲＳの前記周波数ドメイン密度であり、ＩＤＵＥは前記端末装置の前記識別子であり、Δｆは前記ＰＴＲＳの前記周波数ドメイン位置の前記リソースブロックオフセットである、請求項１に記載の通信方法。
【請求項４】
前記決定するステップの前に、
前記ＰＴＲＳの構成情報に従い、前記ＰＴＲＳの前記周波数ドメイン密度を決定するステップであって、前記構成情報は、前記ＰＴＲＳの前記周波数ドメイン密度と前記第１帯域幅との間のマッピング関係を含む、ステップ、
を更に含む請求項１に記載の通信方法。
【請求項５】
参照信号通信機器であって、
第１帯域幅の位相追跡参照信号（ＰＴＲＳ）の周波数ドメイン密度に対する比が非整数であるとき、前記ＰＴＲＳの前記周波数ドメイン位置のリソースブロックオフセットを、前記ＰＴＲＳの周波数ドメイン密度、端末装置の識別子、及び前記第１帯域幅に基づき決定するよう構成される処理ユニットであって、前記第１帯域幅は前記端末装置のためにネットワーク装置によりスケジューリングされた帯域幅である、処理ユニットと、
前記ＰＴＲＳの前記周波数ドメイン位置の前記リソースブロックオフセットに基づき、前記ＰＴＲＳを送信又は受信するよう構成される通信機ユニットと、
を含む通信機器。
【請求項６】
前記ＰＴＲＳの前記周波数ドメイン位置の前記リソースブロックオフセット、前記ＰＴＲＳの前記周波数ドメイン密度、前記第１帯域幅、及び前記端末装置の前記識別子は、以下の関係を満たし：
Δｆ＝ＩＤＵＥｍｏｄ（ＢＷ１ｍｏｄＦＤｓｔｅｐ）、ここで、
ＦＤｓｔｅｐは前記ＰＴＲＳの前記周波数ドメイン密度であり、ＢＷ１は前記第１帯域幅であり、ＩＤＵＥは前記端末装置の前記識別子であり、Δｆは前記ＰＴＲＳの前記周波数ドメイン位置の前記リソースブロックオフセットである、請求項５に記載の通信機器。
【請求項７】
前記処理ユニットは、
前記第１帯域幅の前記ＰＴＲＳの前記周波数ドメイン密度に対する比が整数であるとき、前記ＰＴＲＳの前記周波数ドメイン密度及び前記端末装置の前記識別子に基づき、前記ＰＴＲＳの前記周波数ドメイン位置の前記リソースブロックオフセットを決定するよう更に構成され、前記ＰＴＲＳの前記周波数ドメイン位置の前記リソースブロックオフセット、前記ＰＴＲＳの前記周波数ドメイン密度、及び前記端末装置の前記識別子は、以下の関係を満たし：
Δｆ＝ＩＤＵＥｍｏｄＦＤｓｔｅｐ、ここで、
ＦＤｓｔｅｐは前記ＰＴＲＳの前記周波数ドメイン密度であり、ＩＤＵＥは前記端末装置の前記識別子であり、Δｆは前記ＰＴＲＳの前記周波数ドメイン位置の前記リソースブロックオフセットである、請求項５に記載の通信機器。
【請求項８】
前記処理ユニットは、前記ＰＴＲＳの構成情報に従い、前記ＰＴＲＳの前記周波数ドメイン密度を決定するよう更に構成され、前記構成情報は、前記ＰＴＲＳの前記周波数ドメイン密度と前記第１帯域幅との間のマッピング関係を含む、請求項５に記載の通信機器。
【請求項９】
参照信号通信機器であって、メモリと、プロセッサと、前記メモリに格納されたコンピュータプログラムとを含み、前記コンピュータプログラムは、前記プロセッサで実行されると、前記参照信号通信機器に請求項１乃至４のいずれか一項に記載の通信方法を実行させる、通信機器。
【請求項１０】
請求項１乃至４のいずれか一項に記載の通信方法を実施するよう構成される参照信号通信機器。
【請求項１１】
コンピュータプログラムであって、前記コンピュータプログラムがコンピュータにより実行されると、前記コンピュータに請求項１乃至４のいずれか一項に記載の方法を実行させる、コンピュータプログラム。
【請求項１２】
コンピュータプログラムを格納するコンピュータ可読記憶媒体であって、前記コンピュータプログラムは、コンピュータで実行されると、前記コンピュータに請求項１乃至４のいずれか一項に記載の方法を実行させる、コンピュータ可読記憶媒体。
【手続補正２】
【補正対象書類名】明細書
【補正対象項目名】００２９
【補正方法】削除
【補正の内容】
【手続補正３】
【補正対象書類名】明細書
【補正対象項目名】００３０
【補正方法】変更
【補正の内容】
【００３０】
（２）第１帯域幅の、ＰＴＲＳの周波数ドメイン密度に対する比が非整数である。
【手続補正４】
【補正対象書類名】明細書
【補正対象項目名】００３１
【補正方法】変更
【補正の内容】
【００３１】
（３）ＰＴＲＳ情報及び第１帯域幅の条件下でマッピング可能なＰＴＲＳの最大数が、第３閾以下である。
【手続補正５】
【補正対象書類名】明細書
【補正対象項目名】００３２
【補正方法】変更
【補正の内容】
【００３２】
（４）ＰＴＲＳ情報及び第１帯域幅の条件下でマッピング可能なＰＴＲＳの最小数が、第４閾以下である。
（５）ＰＴＲＳの最小数とＰＴＲＳの最大数との比が第２閾以下である。
【手続補正６】
【補正対象書類名】明細書
【補正対象項目名】００４２
【補正方法】変更
【補正の内容】
【００４２】
更に理解されるべきことに、ＰＴＲＳの周波数ドメイン密度Ｎは、ＰＴＲＳの周波数ドメイン間隔がＮ個の関連ＲＢであることを意味してよい。この場合、ＰＴＲＳのシーケンスの中のＰＴＲＳシンボル０は、関連ＲＢ  ０からＮ１のうちの１つに対応し、ＰＴＲＳシンボル１は、関連ＲＢ  Ｎから２＊Ｎ１のうちの１つに対応し、以下同様に、ＰＴＲＳのシーケンスの中の各ＰＴＲＳシンボルに対応する関連ＲＢを得る。
【手続補正７】
【補正対象書類名】明細書
【補正対象項目名】００４３
【補正方法】変更
【補正の内容】
【００４３】
具体的に、関連ＲＢの中のＰＴＲＳのシーケンス内のＰＴＲＳシンボルＭの周波数ドメイン位置は、関連ＲＢ  Δｆ＋Ｍ＊Ｎであってよい。ここで、Δｆは周波数ドメイン位置のリソースブロックオフセットを示し、ＮはＰＴＲＳの周波数ドメイン密度を示し、Ｍは０以上の整数である。
【手続補正８】
【補正対象書類名】明細書
【補正対象項目名】００５２
【補正方法】削除
【補正の内容】
【手続補正９】
【補正対象書類名】明細書
【補正対象項目名】００５３
【補正方法】変更
【補正の内容】
【００５３】
（２）第１帯域幅の、ＰＴＲＳの周波数ドメイン密度に対する比が整数である。
【手続補正１０】
【補正対象書類名】明細書
【補正対象項目名】００５４
【補正方法】変更
【補正の内容】
【００５４】
（３）ＰＴＲＳ情報及び第１帯域幅の条件下でマッピング可能なＰＴＲＳの最大数が、第３閾より大きい。
【手続補正１１】
【補正対象書類名】明細書
【補正対象項目名】００５５
【補正方法】変更
【補正の内容】
【００５５】
（４）ＰＴＲＳ情報及び第１帯域幅の条件下でマッピング可能なＰＴＲＳの最小数が、第４閾より大きい。
（５）ＰＴＲＳの最小数とＰＴＲＳの最大数との比が第２閾より大きい。
【手続補正１２】
【補正対象書類名】明細書
【補正対象項目名】０１５１
【補正方法】変更
【補正の内容】
【０１５１】
更に理解されるべきことに、ＰＴＲＳの周波数ドメイン密度Ｎは、ＰＴＲＳの周波数ドメイン間隔がＮ個の関連ＲＢであることを意味してよい。この場合、ＰＴＲＳのシーケンスの中のＰＴＲＳシンボル０は、関連ＲＢ  ０からＮ１のうちの１つに対応し、ＰＴＲＳシンボル１は、関連ＲＢ  Ｎから２＊Ｎ１のうちの１つに対応し、以下同様に、ＰＴＲＳのシーケンスの中の各ＰＴＲＳシンボルに対応する関連ＲＢを得る。
【手続補正１３】
【補正対象書類名】明細書
【補正対象項目名】０１５２
【補正方法】変更
【補正の内容】
【０１５２】
具体的に、関連ＲＢの中のＰＴＲＳのシーケンス内のＰＴＲＳシンボルＭの周波数ドメイン位置は、関連ＲＢ  Δｆ＋Ｍ＊Ｎであってよい。ここで、Δｆは周波数ドメイン位置のリソースブロックオフセットを示し、ＮはＰＴＲＳの周波数ドメイン密度を示し、Ｍは０以上の整数である。
【手続補正１４】
【補正対象書類名】明細書
【補正対象項目名】０１６２
【補正方法】変更
【補正の内容】
【０１６２】
第１帯域幅が２ＲＢであるとき、リソースブロックオフセットが０ＲＢ又は１ＲＢならば、最大数１のＰＴＲＳが第１帯域幅にマッピングされ、又は、リソースブロックオフセットが２ＲＢ又は３ＲＢならば、最小数０のＰＴＲＳが第１帯域幅にマッピングされる。言い換えると、第１帯域幅が２ＲＢならば、リソースブロックオフセットが比較的大きいとき、２個のＲＢ内にＰＴＲＳはマッピングされない。
【手続補正１５】
【補正対象書類名】明細書
【補正対象項目名】０１６３
【補正方法】変更
【補正の内容】
【０１６３】
第１帯域幅が６ＲＢであるとき、リソースブロックオフセットが０ＲＢ又は１ＲＢならば、最大数２のＰＴＲＳが第１帯域幅にマッピングされ、又は、リソースブロックオフセットが２ＲＢ又は３ＲＢならば、最小数１のＰＴＲＳが第１帯域幅にマッピングされる。言い換えると、第１帯域幅が６ＲＢならば、リソースブロックオフセットが比較的大きいとき、ＰＴＲＳの数は半減される。
【手続補正１６】
【補正対象書類名】明細書
【補正対象項目名】０１６８
【補正方法】削除
【補正の内容】
【手続補正１７】
【補正対象書類名】明細書
【補正対象項目名】０１６９
【補正方法】変更
【補正の内容】
【０１６９】
（２）第１帯域幅の、ＰＴＲＳの周波数ドメイン密度に対する比が整数である。
【手続補正１８】
【補正対象書類名】明細書
【補正対象項目名】０１７０
【補正方法】変更
【補正の内容】
【０１７０】
（３）ＰＴＲＳ情報及び第１帯域幅の条件下でマッピング可能なＰＴＲＳの最大数が、第３閾より大きい。
【手続補正１９】
【補正対象書類名】明細書
【補正対象項目名】０１７１
【補正方法】変更
【補正の内容】
【０１７１】
（４）ＰＴＲＳ情報及び第１帯域幅の条件下でマッピング可能なＰＴＲＳの最小数が、第４閾より大きい。
（５）ＰＴＲＳの最小数とＰＴＲＳの最大数との比が第２閾より大きい。
【手続補正２０】
【補正対象書類名】明細書
【補正対象項目名】０１７７
【補正方法】削除
【補正の内容】
【手続補正２１】
【補正対象書類名】明細書
【補正対象項目名】０１７８
【補正方法】変更
【補正の内容】
【０１７８】
（２）第１帯域幅の、ＰＴＲＳの周波数ドメイン密度に対する比が非整数である。
【手続補正２２】
【補正対象書類名】明細書
【補正対象項目名】０１７９
【補正方法】変更
【補正の内容】
【０１７９】
（３）ＰＴＲＳ情報及び第１帯域幅の条件下でマッピング可能なＰＴＲＳの最大数が、第３閾以下である。
【手続補正２３】
【補正対象書類名】明細書
【補正対象項目名】０１８０
【補正方法】変更
【補正の内容】
【０１８０】
（４）ＰＴＲＳ情報及び第１帯域幅の条件下でマッピング可能なＰＴＲＳの最小数が、第４閾以下である。
（５）ＰＴＲＳの最小数とＰＴＲＳの最大数との比が第２閾以下である。
【手続補正２４】
【補正対象書類名】明細書
【補正対象項目名】０１９２
【補正方法】変更
【補正の内容】
【０１９２】
ＦＤｓｔｅｐの値が２又は４、２の整数乗に限定されることを考慮することにより、ＩＤＵＥのＬ個のビットはオフセットを表すために抽出できる。ここで、Ｌはｌｏｇ２（ＦＤｓｔｅｐ）に等しい。
【手続補正２５】
【補正対象書類名】明細書
【補正対象項目名】０２１０
【補正方法】変更
【補正の内容】
【０２１０】
例えば、第１帯域幅が８ＲＢであり、ＰＴＲＳの周波数ドメイン密度が、ＰＴＲＳシンボルが４ＲＢ毎に１つにマッピングされることであるとき、リソースブロックオフセットの値範囲は｛０，１，２，３｝である。最小リソースブロックオフセット０ＲＢに基づき、８ＲＢにマッピング可能なＰＴＲＳの最大数は２であると決定でき（言い換えると、ＰＴＲＳは、ＲＢ  ０及びＲＢ  ４にマッピングされる）、並びに、最大リソースブロックオフセット３ＲＢに基づき、８ＲＢにマッピング可能なＰＴＲＳの最小数は２であると決定できる（言い換えると、ＰＴＲＳは、ＲＢ  ３及びＲＢ  ７にマッピングされる）。
【手続補正２６】
【補正対象書類名】明細書
【補正対象項目名】０２１１
【補正方法】変更
【補正の内容】
【０２１１】
別の例では、第１帯域幅が６ＲＢであり、ＰＴＲＳの周波数ドメイン密度が、ＰＴＲＳシンボルが４ＲＢ毎に１つにマッピングされることであるとき、リソースブロックオフセットの値範囲は｛０，１，２，３｝である。最小リソースブロックオフセット０ＲＢに基づき、６ＲＢにマッピング可能なＰＴＲＳの最大数は２であると決定でき（言い換えると、ＰＴＲＳは、ＲＢ  ０及び４にマッピングされる）、並びに、最大リソースブロックオフセット３ＲＢに基づき、６ＲＢにマッピング可能なＰＴＲＳの最小数は１であると決定できる（言い換えると、ＰＴＲＳは、ＲＢ  ３にマッピングされる）。